(57)【要約】【課題】通信システムの切り替えに関する不都合を回避し、通信をより効率的に行える無線端末装置及び通信制御方法を提供すること。【解決手段】携帯電話機１は、ＬＴＥ通信システムと、ＬＴＥ通信システムではサポートされない機能がサポートされるＣＤＭＡ通信システムとを選択的に切り替えて通信する通信切替部３１と、ＬＴＥ通信システムにて位置登録される状況で所定の発信が要求された際、当該発信が所定の通信種別に関するものであるか否かを判定する判定部３２と、を備え、通信切替部３１は、発信が所定の通信種別に関するものでないと判定された場合、ＣＤＭＡ通信システムにて発信に基づく通信を完了した後、位置登録先をＬＴＥ通信システムへ優先的に変更し、発信が所定の通信種別に関するものであると判定された場合、ＣＤＭＡ通信システムにて発信に基づく通信を完了した後も、引き続きＣＤＭＡ通信システムへの位置登録を継続する。【選択図】図２
2013009169.tif 000002
【特許請求の範囲】
【請求項１】
第１の通信システムと、前記第１の通信システムではサポートされない機能がサポートされる第２の通信システムとを選択的に切り替えて通信する通信切替部と、
前記第１の通信システムにて位置登録される状況で所定の発信が要求された際、当該発信が、当該発信の後に前記第２の通信システムでの位置測位が要求される所定の通信種別に関するものであるか否かを判定する判定部と、を備え、
前記通信切替部は、
前記判定部により、前記発信が前記所定の通信種別に関するものでないと判定された場合、前記第２の通信システムにて前記発信に基づく通信を完了した後、位置登録先を前記第１の通信システムへ優先的に変更し、
前記発信が前記所定の通信種別に関するものであると判定された場合、前記第２の通信システムにて前記発信に基づく通信を完了した後も、引き続き当該第２の通信システムへの位置登録を継続する無線端末装置。
【請求項２】
前記通信切替部は、前記判定部により前記所定の通信種別であると判定され、かつ前記第２の通信システムにて前記発信に基づく通信を完了してから所定時間が経過するまでの間に前記位置測位の要求を受信した場合、位置情報を送信し、当該位置情報の送信の完了の後に前記第１の通信システムへ優先的に位置登録先を変更する請求項１に記載の無線端末装置。
【請求項３】
前記通信切替部は、前記判定部により前記所定の通信種別であると判定され、かつ前記第２の通信システムにて前記発信に基づく通信を完了してから前記位置測位の要求を受信せずに所定時間が経過した場合、前記第１の通信システムへ優先的に位置登録先を変更する請求項１又は請求項２に記載の無線端末装置。
【請求項４】
前記通信切替部は、前記第１の通信システムと前記第２の通信システムとの間で位置登録先を変更する際、前記第１の通信システムにおける第１の通信エリア区分と、前記第２の通信システムにおける第２の通信エリア区分との位置関係を把握している前記第１の通信システムの制御装置から、接続先変更のための補助情報を受信する請求項１から請求項３のいずれか１項に記載の無線端末装置。
【請求項５】
前記所定の通信種別は、緊急呼である請求項１から請求項４のいずれか１項に記載の無線端末装置。
【請求項６】
前記所定の通信種別は、ＳＭＳ（ショートメッセージサービス）である請求項１から請求項４のいずれか１項に記載の無線端末装置。
【請求項７】
前記第１の通信システムは、ＬＴＥ方式又はＷｉＭＡＸ方式であり、前記第２の通信システムは、ＣＤＭＡ方式である請求項１から請求項６のいずれか１項に記載の無線端末装置。
【請求項８】
前記第１の通信システムはＬＴＥ方式であり、前記第２の通信システムはＣＤＭＡ方式であって、
前記補助情報の受信は、３ＧＰＰ  ＴＳ  ２３．２７２において規定されるＣＳ−Ｆａｌｌｂａｃｋ機能に準拠している請求項４に記載の無線端末装置。
【請求項９】
無線端末装置の通信制御方法であって、
第１の通信システムと、前記第１の通信システムではサポートされない機能がサポートされる第２の通信システムとを選択的に切り替えて通信する通信切替ステップと、
前記第１の通信システムにて位置登録される状況で所定の発信が要求された際、当該発信が、当該発信の後に前記第２の通信システムでの位置測位が要求される所定の通信種別に関するものであるか否かを判定する判定ステップと、を含み、
前記通信切替ステップにおいて、
前記判定ステップで、前記発信が前記所定の通信種別に関するものでないと判定された場合、前記第２の通信システムにて前記発信に基づく通信を完了した後、位置登録先を前記第１の通信システムへ優先的に変更し、
前記発信が前記所定の通信種別に関するものであると判定された場合、前記第２の通信システムにて前記発信に基づく通信を完了した後も、引き続き当該第２の通信システムへの位置登録を継続する通信制御方法。
【発明の詳細な説明】
【技術分野】
【０００１】
本発明は、通信システムを選択的に切り替える無線端末装置及び通信制御方法に関する。
【背景技術】
【０００２】
近年、携帯電話機等の無線端末装置が利用する通信システムとして、回線交換（ＣＳ：Ｃｉｒｃｕｉｔ  Ｓｗｉｔｃｈｅｄ）方式の通信システム（例えば、ＣＤＭＡ）に加えて、ＬＴＥ（Ｌｏｎｇ  Ｔｅｒｍ  Ｅｖｏｌｕｔｉｏｎ）方式の通信システムが登場している。
【０００３】
ところが、現状、ＬＴＥ通信システムは、データ通信のみをサポートするシステムであり、音声着信を受ける場合には、既存のＣＤＭＡ通信システムで受ける必要がある。また、ＬＴＥ通信システムとＣＤＭＡ通信システムとでアンテナを各々搭載して、同時に待ち受けすることは可能ではあるが、端末コストの低減、及び連続待ち受け時間の長時間化の観点から望ましくない。そこで、３ＧＰＰ  ＴＳ  ２３．２７２において、ＣＳ  Ｆａｌｌｂａｃｋ機能が規定され、この機能により、ＬＴＥ通信システムでＣＤＭＡ通信システムからの着信要求を通知することができる（例えば、非特許文献１参照）。
【０００４】
さらに、ＣＳ  Ｆａｌｌｂａｃｋ機能を用いて音声発信をする場合、無線端末装置からの発信要求に対して、ＬＴＥ通信システムからＣＤＭＡ通信システムへのハンドオーバ指示が無線端末装置へ送信される。ハンドオーバ指示を受けた無線端末装置は、無線をＣＤＭＡ通信システムへ切り替えた後、通常の発信処理を行う。
【０００５】
また、ＣＤＭＡ通信システムへハンドオーバした後、音声通話が終了すると、再度、ＣＤＭＡ通信システムよりも優先されるＬＴＥ通信システムへハンドオーバする技術が提案されている（例えば、特許文献１参照）。
【先行技術文献】
【特許文献】
【０００６】
【特許文献１】特開２０１０−１４７５７６号公報
【非特許文献】
【０００７】
【非特許文献１】３ＧＰＰ  ＴＳ  ２３．２７２  Ｖ１０．３．１，  “Ｃｉｒｃｕｉｔ  Ｓｗｉｔｃｈｅｄ  （ＣＳ）  ｆａｌｌｂａｃｋ  ｉｎ  Ｅｖｏｌｖｅｄ  Ｐａｃｋｅｔ  Ｓｙｓｔｅｍ  （ＥＰＳ）；  Ｓｔａｇｅ  ２，”  ２０１１−０４
【発明の概要】
【発明が解決しようとする課題】
【０００８】
ところで、無線端末装置からの発信は、通常の音声通話の他、緊急呼の場合もある。緊急呼の場合、無線端末装置は、通話終了後に発信先である緊急機関から位置測位要求を受信することが多い。このとき、既にＣＤＭＡ通信システムからＬＴＥ通信システムへハンドオーバしていると、ＬＴＥ通信システムではＧＰＳ測位を実施できないため、再びＣＤＭＡ通信システムへのハンドオーバが必要となっていた。その結果、緊急機関に対する位置測位情報の送信の遅延、あるいは処理負荷の増大といった不都合が生じていた。
【０００９】
本発明は、通信システムの切り替えに関する不都合を回避し、通信をより効率的に行える無線端末装置及び通信制御方法を提供することを目的とする。
【課題を解決するための手段】
【００１０】
本発明に係る無線端末装置は、第１の通信システムと、前記第１の通信システムではサポートされない機能がサポートされる第２の通信システムとを選択的に切り替えて通信する通信切替部と、前記第１の通信システムにて位置登録される状況で所定の発信が要求された際、当該発信が、当該発信の後に前記第２の通信システムでの位置測位が要求される所定の通信種別に関するものであるか否かを判定する判定部と、を備え、前記通信切替部は、前記判定部により、前記発信が前記所定の通信種別に関するものでないと判定された場合、前記第２の通信システムにて前記発信に基づく通信を完了した後、位置登録先を前記第１の通信システムへ優先的に変更し、前記発信が前記所定の通信種別に関するものであると判定された場合、前記第２の通信システムにて前記発信に基づく通信を完了した後も、引き続き当該第２の通信システムへの位置登録を継続する。
【００１１】
また、前記通信切替部は、前記判定部により前記所定の通信種別であると判定され、かつ前記第２の通信システムにて前記発信に基づく通信を完了してから所定時間が経過するまでの間に前記位置測位の要求を受信した場合、位置情報を送信し、当該位置情報の送信の完了の後に前記第１の通信システムへ優先的に位置登録先を変更することが好ましい。
【００１２】
また、前記通信切替部は、前記判定部により前記所定の通信種別であると判定され、かつ前記第２の通信システムにて前記発信に基づく通信を完了してから前記位置測位の要求を受信せずに所定時間が経過した場合、前記第１の通信システムへ優先的に位置登録先を変更することが好ましい。
【００１３】
また、前記通信切替部は、前記第１の通信システムと前記第２の通信システムとの間で位置登録先を変更する際、前記第１の通信システムにおける第１の通信エリア区分と、前記第２の通信システムにおける第２の通信エリア区分との位置関係を把握している前記第１の通信システムの制御装置から、接続先変更のための補助情報を受信することが好ましい。
【００１４】
また、前記所定の通信種別は、緊急呼であることが好ましい。
【００１５】
また、前記所定の通信種別は、ＳＭＳ（ショートメッセージサービス）であることが好ましい。
【００１６】
また、前記第１の通信システムは、ＬＴＥ方式又はＷｉＭＡＸ方式であり、前記第２の通信システムは、ＣＤＭＡ方式であることが好ましい。
【００１７】
また、前記第１の通信システムはＬＴＥ方式であり、前記第２の通信システムはＣＤＭＡ方式であって、前記補助情報の受信は、３ＧＰＰ  ＴＳ  ２３．２７２において規定されるＣＳ−Ｆａｌｌｂａｃｋ機能に準拠していることが好ましい。
【００１８】
本発明に係る通信制御方法は、無線端末装置の通信制御方法であって、第１の通信システムと、前記第１の通信システムではサポートされない機能がサポートされる第２の通信システムとを選択的に切り替えて通信する通信切替ステップと、前記第１の通信システムにて位置登録される状況で所定の発信が要求された際、当該発信が、当該発信の後に前記第２の通信システムでの位置測位が要求される所定の通信種別に関するものであるか否かを判定する判定ステップと、を含み、前記通信切替ステップにおいて、前記判定ステップで、前記発信が前記所定の通信種別に関するものでないと判定された場合、前記第２の通信システムにて前記発信に基づく通信を完了した後、位置登録先を前記第１の通信システムへ優先的に変更し、前記発信が前記所定の通信種別に関するものであると判定された場合、前記第２の通信システムにて前記発信に基づく通信を完了した後も、引き続き当該第２の通信システムへの位置登録を継続する。
【発明の効果】
【００１９】
本発明によれば、無線端末装置は、通信システムの切り替えに関する不都合を回避し、通信をより効率的に行える。
【図面の簡単な説明】
【００２０】
【図１】本発明の実施形態に係る携帯電話機の外観斜視図である。
【図２】本発明の実施形態に係る携帯電話機の機能を示すブロック図である。
【図３】本発明の実施形態に係る携帯電話機がＣＤＭＡ通信システムで通信の待ち受け中に、測位要求に基づいて位置測位を行う処理を示すシーケンス図である。
【図４】本発明の実施形態に係る携帯電話機において、音声発信の要求に応じて音声通信を開始する処理を示すフローチャートである。
【図５】本発明の実施形態に係る携帯電話機において、音声通信を終了するまでの処理を示すフローチャートである。
【図６】本発明の実施形態に係る携帯電話機において、音声通信を終了してからの処理を示すフローチャートである。
【図７】本発明の実施形態に係る判定部により緊急呼の判定を行わなかった場合の、緊急呼発信に基づく処理を示すシーケンス図である。
【発明を実施するための形態】
【００２１】
以下、本発明の実施形態の一例について説明する。なお、本実施形態では、無線端末装置の一例として携帯電話機１を説明する。
【００２２】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式、重ね合せ方向に沿う軸線を中心に一方の筐体を回転させるようにした回転式（ターンタイプ）、あるいは操作部と表示部とが１つの筐体に配置され、連結部を有さない形式（ストレートタイプ）でもよい。
【００２３】
携帯電話機１は、操作部側筐体２と、表示部側筐体３と、を備えて構成される。操作部側筐体２は、表面部１０に、操作部１１と、携帯電話機１の使用者が通話時あるいは音声認識アプリケーションを利用時に発した音声が入力されるマイク１２と、を備えて構成される。操作部１１は、各種設定機能、電話帳機能、ＳＭＳ（ショートメッセージサービス）機能、あるいはメール機能等の各種機能を作動させるための機能設定操作ボタン１３と、電話番号の数字又はメールの文字等を入力するための入力操作ボタン１４と、各種操作における決定及びスクロール等を行う決定操作ボタン１５と、を含んで構成されている。
【００２４】
また、表示部側筐体３は、表面部２０に、各種情報を表示するための表示部２１と、通話の相手側の音声を出力するレシーバ２２と、を備えて構成されている。
【００２５】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２６】
図２は、本実施形態に係る携帯電話機１の機能を示すブロック図である。
携帯電話機１は、操作部１１と、表示部２１と、制御部３０と、通信部４０と、記憶部５０と、音声制御部６０とを備える。
【００２７】
制御部３０は、携帯電話機１の全体を制御しており、例えば、表示部２１、通信部４０等の各部に対して所定の制御を行う。また、制御部３０は、操作部１１あるいは通信部４０等から入力を受け付けて、各種処理を実行する。そして、制御部３０は、処理実行の際には、記憶部５０を制御し、各種プログラム及びデータの読み出し、及びデータの書き込みを行う。なお、本実施形態に係る制御部３０の詳細機能は後述する。
【００２８】
通信部４０は、所定の使用周波数帯（例えば、２ＧＨｚ帯あるいは８００ＭＨｚ帯等）で外部装置（ＬＴＥ通信システムの基地局１００又はＣＤＭＡ通信システムの基地局２００）と通信を行う。そして、通信部４０は、アンテナより受信した信号を復調処理し、処理後の信号を制御部３０に供給し、また、制御部３０から供給された信号を変調処理し、アンテナから外部装置に送信する。
【００２９】
ここで、通信部４０は、本実施形態においては、音声及びデータ通信用の通信プロトコルであるＷ−ＣＤＭＡあるいはＣＤＭＡ２０００＿１ｘ（以下、ＣＤＭＡという）と、主に高速データ通信に用いられる通信プロトコルであるＬＴＥとの双方に対応しており、いずれのプロトコルの通信システムでも通信可能である。通信部４０は、制御部３０からの指令に基づいて、互いに重畳して通信エリアが敷設される複数の通信システムを選択的に切り替えて、いずれかのプロトコルにより基地局と通信を行う。なお、携帯電話機１は、データ通信時にはＬＴＥ方式によるＬＴＥ通信システム（第１の通信システム）での通信を優先し、音声通話あるいはＳＭＳの送受信時には、ＣＤＭＡ方式によるＣＤＭＡ通信システム（第２の通信システム）での通信へ切り替えるものとする。
【００３０】
なお、ＳＭＳは、通信相手との間で、短いメッセージ（数十文字程度）の送受信を行う機能である。このＳＭＳは、音声通信と部分的に共通する発信・着信シーケンスを利用しており、ＣＤＭＡ通信システムにおいて電話番号により送信相手が特定される。
【００３１】
記憶部５０は、例えば、ワーキングメモリを含み、制御部３０による演算処理に利用される。また、記憶部５０は、本実施形態に係る各種プログラムの他、後述の測位情報未送信フラグ等を記憶する。
【００３２】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナより出力する。
【００３３】
次に制御部３０及び各通信システムの制御装置の機能を詳述する。
制御部３０は、通信切替部３１と、判定部３２とを備える。
【００３４】
通信切替部３１は、音声発信又はＳＭＳがサポートされないＬＴＥ通信システムと、音声発信又はＳＭＳがサポートされるＣＤＭＡ通信システムとを選択的に切り替え、通信部４０を制御して通信する。
【００３５】
また、通信切替部３１は、ＬＴＥ通信システムとＣＤＭＡ通信システムとの間で位置登録先を変更する際、ＬＴＥ通信システムにおける第１の通信エリア区分（呼出ゾーン）と、ＣＤＭＡ通信システムにおける第２の通信エリア区分との位置関係を把握しているＬＴＥ通信システムの制御装置から、接続先変更のための補助情報を受信する。
【００３６】
判定部３２は、ＬＴＥ通信システムにて位置登録される状況で音声発信が要求された際、この音声発信が、要求の後にＣＤＭＡ通信システムで位置測位が要求される所定の通信種別であるか否かを判定する。ここで、所定の通信種別は、警察あるいは消防等に対する緊急呼である。あるいは、所在の把握を希望する所定の相手先へのＳＭＳの送信（発信）などである。
【００３７】
ここで、通信切替部３１は、判定部３２により所定の通信種別でないと判定された場合、ＣＤＭＡ通信システムにて音声発信に基づく通話を完了した際に、ＬＴＥ通信システムへ優先的に位置登録先を変更する。一方、所定の通信種別であると判定された場合、通信切替部３１は、ＣＤＭＡ通信システムにて音声発信に基づく通話を完了した後も、引き続きＣＤＭＡ通信システムへの位置登録を継続する。
【００３８】
また、通信切替部３１は、判定部３２により所定の通信種別であると判定された場合、ＣＤＭＡ通信システムにて音声又はＳＭＳの発信に基づく通信（通話、送信）を開始して以降、この通信を完了してから所定時間（例えば、２０秒）が経過するまでの間に位置測位の要求を受信したことに応じて位置情報を送信すると、通信及び位置情報送信の完了後、ＬＴＥ通信システムへ優先的に位置登録先を変更する。さらに、通信切替部３１は、位置測位の要求を受信することなく、通信を完了してから所定時間が経過すると、ＬＴＥ通信システムへ優先的に位置登録先を変更する。
【００３９】
図３は、本実施形態に係る携帯電話機１がＣＤＭＡ通信システムで通信の待ち受け中に、測位要求に基づいて位置測位を行う処理を示すシーケンス図である。
【００４０】
ステップＳ１において、ＣＤＭＡ通信システムの制御装置は、緊急呼の発信先又はＳＭＳの送信先である緊急機関から測位要求の信号を受信する。
【００４１】
ステップＳ２において、携帯電話機１は、ステップＳ１の測位要求に応じてＣＤＭＡ通信システムの制御装置から通知される一斉呼び出しの信号を受信する。
【００４２】
ステップＳ３において、携帯電話機１は、ステップＳ２の一斉呼び出しに対して、一斉呼び出し応答の信号を、ＣＤＭＡ通信システムへ送信する。
【００４３】
ステップＳ４において、携帯電話機１は、ＣＤＭＡ通信システムに対して接続処理を行い、ＧＰＳ測位に関するデータ通信のためのセッションを開始する。
【００４４】
ステップＳ５において、ＣＤＭＡ通信システムの制御装置は、携帯電話機１へ、端末情報及び電界強度情報を要求する信号（Ｒｅｑｕｅｓｔ  ＭＳ  Ｉｎｆｏｒｍａｔｉｏｎ，  Ｒｅｑｕｅｓｔ  Ｐｉｌｏｔ  Ｐｈａｓｅ  Ｍｅａｓｕｒｅｍｅｎｔ）を送信する。
【００４５】
ステップＳ６において、携帯電話機１は、近隣基地局の電界強度を測定する（ＰＰＭ：  Ｐｉｌｏｔ  Ｐｈａｓｅ  Ｍｅａｓｕｒｅｍｅｎｔ）。
【００４６】
ステップＳ７において、携帯電話機１は、ＣＤＭＡ通信システムの制御装置へ、端末情報及び電界強度情報を提供する信号（Ｐｒｏｖｉｄｅ  ＭＳ  Ｉｎｆｏｒｍａｔｉｏｎ，  Ｐｒｏｖｉｄｅ  Ｐｉｌｏｔ  Ｐｈａｓｅ  Ｍｅａｓｕｒｅｍｅｎｔ）を送信する。
【００４７】
ステップＳ８において、ＣＤＭＡ通信システムの制御装置は、携帯電話機１へ、ＧＰＳ衛星のサーチ結果情報及び電界強度情報を要求する信号（Ｒｅｑｕｅｓｔ  Ｐｓｅｕｄｏｒａｎｇｅ  Ｍｅａｓｕｒｅｍｅｎｔ，  Ｒｅｑｕｅｓｔ  Ｐｉｌｏｔ  Ｐｈａｓｅ  Ｍｅａｓｕｒｅｍｅｎｔ）と共に、ＧＰＳ衛星サーチのための補助情報を提供する信号（Ｐｒｏｖｉｄｅ  ＧＰＳ  Ａｃｑｕｉｓｉｔｉｏｎ  Ａｓｓｉｓｔａｎｃｅ）を送信する。
【００４８】
ステップＳ９において、携帯電話機１は、ＧＰＳ衛星のサーチ（ＧＰＳ  ＳＲＣＨ）を実行し、捕捉したＧＰＳ衛星からの信号を受信する。
【００４９】
ステップＳ１０において、携帯電話機１は、ＣＤＭＡ通信システムの制御装置へ、ＧＰＳ衛星のサーチ結果情報を提供する信号（Ｐｒｏｖｉｄｅ  Ｐｓｅｕｄｏｒａｎｇｅ  Ｍｅａｓｕｒｅｍｅｎｔ）、電界強度情報を提供する信号（Ｐｒｏｖｉｄｅ  Ｐｉｌｏｔ  Ｐｈａｓｅ  Ｍｅａｓｕｒｅｍｅｎｔ）、時刻のオフセット情報を提供する信号（Ｐｒｏｖｉｄｅ  ＴｉｍｅＯｆｆｓｅｔ  Ｍｅａｓｕｒｅｍｅｎｔ）、及び測位結果の応答を要求する信号（Ｒｅｑｕｅｓｔ  Ｌｏｃａｔｉｏｎ  Ｒｅｓｐｏｎｓｅ）を送信する。
【００５０】
ステップＳ１１において、ＣＤＭＡ通信システムの制御装置は、測位演算を実行し、緊急機関へ、ＧＰＳ測位の結果を応答する。
【００５１】
ステップＳ１２において、ＣＤＭＡ通信システムの制御装置は、携帯電話機１へ、ＧＰＳ測位の結果を提供する信号（Ｐｒｏｖｉｄｅ  Ｌｏｃａｔｉｏｎ  Ｒｅｓｐｏｎｓｅ）を送信する。このとき、セッションの終了を示すフラグが設定される（Ｓｅｓｓｉｏｎ  ｅｎｄ  ＝  １）。
【００５２】
図４は、本実施形態に係る携帯電話機１において、音声発信の要求に応じて音声通信を開始する処理を示すフローチャートである。なお、ＳＭＳ発信の場合も同様である。
【００５３】
ステップＳ２１において、制御部３０（通信切替部３１）は、音声又はＳＭＳ通信の要求がない場合、ＣＤＭＡ通信システムよりも優先されているＬＴＥ通信システムで通信の待ち受け状態とする。
【００５４】
ステップＳ２２において、制御部３０（通信切替部３１）は、音声又はＳＭＳの発信に応じて、ＣＳ  Ｆａｌｌｂａｃｋ機能に基づくハンドオーバ指示があったか否かを判定する。この判定がＹＥＳの場合、処理はステップＳ２３に移り、判定がＮＯの場合、ステップＳ２２が継続され、制御部３０は、ハンドオーバ指示を待機する。
【００５５】
ステップＳ２３において、制御部３０（通信切替部３１）は、ＣＳ  Ｆａｌｌｂａｃｋ機能により、ＣＤＭＡ通信システムへのハンドオーバを実行する。
【００５６】
ステップＳ２４において、制御部３０は、ＣＤＭＡ通信システムで音声通信又はＳＭＳ送信のための接続を確立し、音声通信又はＳＭＳ送信を開始する。
【００５７】
ステップＳ２５において、制御部３０（判定部３２）は、開始された通信が緊急呼発信（あるいはＳＭＳ送信）に基づくものであるか否かを判定する。この判定がＹＥＳの場合、処理はステップＳ２６に移り、判定がＮＯの場合、処理はステップＳ２７（図５）に移る。
【００５８】
ステップＳ２６において、制御部３０（通信切替部３１）は、測位情報未送信フラグを設定し、緊急呼に応じて要求されるＧＰＳ測位の結果を応答していないことを記憶部５０に記憶する。
【００５９】
図５は、本実施形態に係る携帯電話機１において、音声通信又はＳＭＳ送信を終了するまでの処理を示すフローチャートである。なお、本処理は、図４に示す処理に続いて実行される。
【００６０】
音声通信の場合には、ステップＳ２７において、制御部３０（通信切替部３１）は、ＧＰＳ測位の結果を応答したか否かを、ＧＰＳ測位に関するセッションの終了を示すフラグ（Ｓｅｓｓｉｏｎ  ｅｎｄ  ＝  １）を通信中に受信したか否かにより判定する。この判定がＹＥＳの場合、処理はステップＳ２８に移り、判定がＮＯの場合、処理はステップＳ２９に移る。
【００６１】
ステップＳ２８において、制御部３０（通信切替部３１）は、ステップＳ２７でＧＰＳ測位の結果を応答したと判定されたので、測位情報未送信フラグを解除する。
【００６２】
ステップＳ２９において、制御部３０は、音声通信を切断するか否か、あるいはＳＭＳ送信が完了したか否かを判定する。この判定がＹＥＳの場合、処理は、ステップＳ３０に移り、判定がＮＯの場合、処理はステップＳ２７に戻る。
【００６３】
ステップＳ３０において、制御部３０は、ＣＤＭＡ通信システムでの音声通信又はＳＭＳ送信を終了する。
【００６４】
図６は、本実施形態に係る携帯電話機１において、音声通信又はＳＭＳ送信を終了してからの処理を示すフローチャートである。なお、本処理は、図５に示す処理に続いて実行される。
【００６５】
ステップＳ３１において、制御部３０（通信切替部３１）は、測位情報未送信フラグが設定されているか否かを判定する。この判定がＹＥＳの場合、処理はステップＳ３２に移り、判定がＮＯの場合、処理はステップＳ３７に移る。
【００６６】
ステップＳ３２において、制御部３０（通信切替部３１）は、ＧＰＳ測位の結果を応答したか否かを、ＧＰＳ測位に関するセッションの終了を示すフラグ（Ｓｅｓｓｉｏｎ  ｅｎｄ  ＝  １）を受信したか否かにより判定する。この判定がＹＥＳの場合、処理はステップＳ３３に移り、判定がＮＯの場合、処理はステップＳ３４に移る。
【００６７】
ステップＳ３３において、制御部３０（通信切替部３１）は、ステップＳ３２でＧＰＳ測位の結果を応答したと判定されたので、測位情報未送信フラグを解除する。
【００６８】
ステップＳ３４において、制御部３０（通信切替部３１）は、音声通信の終了後、所定時間（２０秒）が経過したか否かを判定する。この判定がＹＥＳの場合、処理はステップＳ３５に移り、判定がＮＯの場合、処理はステップＳ３１に戻る。
【００６９】
ステップＳ３５において、制御部３０（通信切替部３１）は、ＧＰＳ測位のための通信に使うパラメータ（ＳＯ：３５、３６）の使用状態を参照し、ＧＰＳ測位中か否かを判定する。この判定がＹＥＳの場合、所定時間が経過していても、処理はステップＳ３１に戻り、制御部３０は、進行中であるＧＰＳ測位の終了を待機する。一方、判定がＮＯの場合、処理はステップＳ３６に移る。
【００７０】
ステップＳ３６において、制御部３０（通信切替部３１）は、緊急呼（あるいはＳＭＳ送信）に基づくＧＰＳ測位の要求がないと判断し、測位情報未送信フラグを解除する。
【００７１】
ステップＳ３７において、制御部３０（通信切替部３１）は、ＣＤＭＡ通信システムよりも優先されるＬＴＥ通信システムへのハンドオーバを実行し、通信の待ち受け状態に復帰する。
【００７２】
以上のように、本実施形態によれば、携帯電話機１は、所定の通信種別（例えば、緊急呼、ＳＭＳ送信）の発信に際して、通話の完了後もＣＤＭＡ通信システムへの位置登録を継続するので、位置測位の要求を受けた場合に、即座にＧＰＳ測位を実行して緊急機関（あるいは位置情報を所望する使用者の関係者）へ結果を応答することができる。
【００７３】
ここで、比較のため、携帯電話機１が本実施形態の判定部３２により緊急呼の判定を行わなかった場合の、緊急呼発信に基づく処理を図７に示す。なお、ＳＭＳ送信に関しても同様である。
【００７４】
ＬＴＥ通信システムで通信の待ち受け中に（ステップＳ４１）、緊急呼の発信要求があると（ステップＳ４２）、ＬＴＥ通信システムから携帯電話機１へハンドオーバが指示される（ステップＳ４３）。続いて、携帯電話機１は、ＣＤＭＡ通信システムへのハンドオーバを実施し、ＣＤＭＡ通信システムで通信の待ち受け状態となった後（ステップＳ４４）、ＣＤＭＡ通信システムで緊急呼発信を行い（ステップＳ４５）、所定の発信処理を実行して（ステップＳ４６）、緊急機関と通話状態になる（ステップＳ４７）。
【００７５】
その後、携帯電話機１は、切断要求に応じて（ステップＳ４８）、音声通信を切断すると（ステップＳ４９）、ＣＤＭＡ通信システムよりも優先されるＬＴＥ通信システムへハンドオーバして待ち受け状態に復帰する（ステップＳ５０）。
【００７６】
次に、ＣＤＭＡ通信システムの制御装置が緊急呼の発信先である緊急機関から測位要求の信号を受信すると（ステップＳ５１）、ＣＳ  Ｆａｌｌｂａｃｋ機能によりＬＴＥ通信システムへ着信が通知され（ステップＳ５２）、ＬＴＥ通信システムから携帯電話機１へ一斉呼び出しが行われる（ステップＳ５３）。これに応じて、携帯電話機１は、ＬＴＥ通信システムへ着信応答を行うと（ステップＳ５４）、ＣＤＭＡ通信システムへのハンドオーバが指示されるため（ステップＳ５５）、ハンドオーバを実施し、ＣＤＭＡ通信システムで通信の待ち受け状態となる（ステップＳ５６）。
【００７７】
そして、携帯電話機１は、一斉呼び出し応答の信号をＣＤＭＡ通信システムへ送信し（ステップＳ５７、図３のステップＳ３に相当）、接続処理を行ってＧＰＳ測位に関するデータ通信のためのセッションを開始する（ステップＳ５８、図３のステップＳ４に相当）。その後、携帯電話機１は、図３の処理と同様に、所定の手順でＧＰＳ測位を実行する。
【００７８】
このように、携帯電話機１は、通話終了に応じて即座にＬＴＥ通信システムへハンドオーバを実施すると、測位要求（ステップＳ５１）があった場合に、ステップＳ５２〜Ｓ５６において再度ＣＤＭＡ通信システムへハンドオーバを実施しなければならない。これにより、緊急機関に対する位置測位情報の送信の遅延、あるいは処理負荷の増大が生じることとなる。しかし、本実施形態によれば、図７に示した例と比較して、この通信システムの切り替えに関する不都合を回避し、通信をより効率的に行える。なお、本実施形態においては、緊急呼だけではなくＳＭＳの送信に関しても同様に、位置測位情報の送信の遅延回避、あるいは処理負荷の増大回避といった効果も得られる。
【００７９】
また、本実施形態によれば、携帯電話機１は、音声通話（あるいはＳＭＳ送信）の完了後、ＧＰＳ測位の結果を応答していない場合に、所定時間が経過するまでＬＴＥ通信システムへのハンドオーバを待機する。したがって、携帯電話機１は、緊急呼（あるいはＳＭＳ送信）に応じて測位要求が送信される期限（所定時間）までの間で、適切なタイミングにＬＴＥ通信システムへ復帰できる。その結果、通信をより効率的に行える。
【００８０】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００８１】
第１の通信システムは、ＬＴＥ方式には限られず、音声発着信のルーチン、あるいはＳＭＳ送受信のルーチンを持たない通信方式であれば、例えば、ＷｉＭＡＸ方式等でもよく、発信処理に関して、ＣＳ  Ｆａｌｌｂａｃｋに相当する機能が実装可能であれば本発明は適用可能である。
【００８２】
また、本発明に係る無線端末装置は、携帯電話機１には限られない。本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【００８３】
１  携帯電話機（無線端末装置）
１１  操作部
２１  表示部
３０  制御部
３１  通信切替部
３２  判定部
４０  通信部
５０  記憶部
６０  音声制御部
【図１】
2013009169.tif 000003
【図２】
2013009169.tif 000004
【図３】
2013009169.tif 000005
【図４】
2013009169.tif 000006
【図５】
2013009169.tif 000007
【図６】
2013009169.tif 000008
【図７】
2013009169.tif 000009